(57)【要約】【課題】飲料用コースタに載置された飲料用容器及び／又は飲料用容器に収容された飲料についての情報も容易に処理することが可能な、飲料用コースタ等を提供する。【解決手段】飲料用容器５を載置可能であるハウジング２と、ハウジング２に配置された無線の電子的な通信装置１１とを有する飲料用コースタ１であって、インターフェースとの第１の無線の通信接続が通信装置によって提供可能であるように通信装置１１が構成及び設置されており、通信装置１１からインターフェースへデータを伝達可能である、飲料用コースタにおいて、飲料用容器５に設けられた非接触に読み取り可能な電子的な情報担体１７との第２の無線の通信接続が通信装置によって提供可能であるように通信装置１１が構成及び設置されており、データを、電子的な情報担体１７から読み取り可能であるとともに、通信装置１１へ伝達可能である。
2021512563.tif 000002
【特許請求の範囲】
【請求項１】
飲料用容器（５）を載置可能であるように構成されたハウジング（２）と、ハウジング（２）に配置された無線の電子的な通信装置（１１）とを有する飲料用コースタ（１）であって、飲料用コースタ（１）の動作中に、インターフェース（１９）との第１の無線の通信接続（２２）が通信装置によって提供可能であるように通信装置（１１）が構成及び設置されており、少なくとも通信装置（１１）からインターフェース（１９）へデータを伝達可能である、飲料用コースタにおいて、
飲料用コースタ（１）の動作において、飲料用容器（５）に設けられた非接触に読み取り可能な電子的な情報担体（１７）との第２の無線の通信接続（２３）が通信装置によって提供可能であるように通信装置（１１）が構成及び設置されており、データを、少なくとも電子的な情報担体（１７）から読み取り可能であるとともに、通信装置（１１）へ伝達可能であることを特徴とする飲料用コースタ。
【請求項２】
第１の無線の通信接続（２２）が第１の伝達方法により動作し、第２の無線の通信接続（２３）が第１の伝達方法とは異なる第２の伝達方法により動作するように、通信装置（１１）が構成及び設置されていることを特徴とする請求項１に記載の飲料用コースタ（１）。
【請求項３】
第１の無線の通信接続（２２）がワイヤレスＬＡＮ接続、ブルートゥース接続、モバイル無線接続又はＬＰＷＡ接続であり、第２の無線の通信接続（２３）がＲＦＩＤトランスポンダを読み取るための接続であるように、通信装置が構成及び設置されていることを特徴とする請求項１又は２に記載の飲料用コースタ（１）。
【請求項４】
飲料用コースタ（１）が、測定量を検出する測定装置（１２）を備えており、測定装置（１２）が有効に通信装置（１１）に接続されており、その結果、測定量がデータの形態で少なくとも第１の通信接続（２２）を介してインターフェースへ伝達可能であることを特徴とする請求項１〜３のいずれか１項に記載の飲料用コースタ（１）。
【請求項５】
飲料用コースタ（１）が、ハウジング（２）に配置された充填レベル測定装置（１２）を備えており、ハウジング（２）に載置された飲料用容器（５）の充填レベルを充填レベル測定装置（１２）によって検出可能であるように、充填レベル測定装置（１２）が構成及び設置されており、充填レベル測定装置（１２）によって生じる測定データを通信装置（１１）へ伝達可能であるように、充填レベル測定装置（１２）が通信装置（１１）に接続されていることを特徴とする請求項１〜４のいずれか１項に記載の飲料用コースタ（１）。
【請求項６】
飲料用コースタ（１）の動作中に飲料用コースタ（１）に載置された飲料用容器（５）の重さを力センサ（１２）によって検出可能に構成及び設置された力センサ、飲料用コースタ（１）の動作中に、充填レベルに依存する、飲料用コースタ（１）に載置された飲料用容器（５）の電気容量を容量型のセンサによって検出可能に構成及び設置された容量型のセンサ、又は光学的なセンサから充填レベル測定装置（１２）が選択されていることを特徴とする請求項１〜５のいずれか１項に記載の飲料用コースタ（１）。
【請求項７】
飲料用コースタ（１）の動作中に、モバイル端末（２６）との第３の無線の通信接続（２４）が通信装置（１１）によって提供され、少なくともモバイル端末（２６）からのデータを読み取り可能であるとともに通信装置（１１）へ伝達可能であるように、通信装置（１１）が更に構成及び設置されていることを特徴とする請求項１〜６のいずれか１項に記載の飲料用コースタ（１）。
【請求項８】
ハウジング（２）が、支持面（４）と、支持面（４）を少なくとも部分的に包囲し支持面（４）に対して突出した縁部（８）とを有する上側（３）を備えており、その結果、支持面（４）上及び縁部（８）内でビール用コースタ（６）を収容可能であることを特徴とする請求項１〜７のいずれか１項に記載の飲料用コースタ（１）。
【請求項９】
飲料用コースタ（１）が、通信装置（１１）に接続された表示要素、好ましくはディスプレイ若しくは発光ダイオード、又は通信装置に接続された振動アラームを備えていることを特徴とする請求項１〜８のいずれか１項に記載の飲料用コースタ（１）。
【請求項１０】
ハウジングに配置され、通信装置（１１）に接続された電流供給部（１３）、特に蓄電池を飲料用コースタ（１）が備えていることを特徴とする請求項１〜９のいずれか１項に記載の飲料用コースタ（１）。
【請求項１１】
請求項１〜１０のいずれか１項に記載の飲料用コースタと、インターフェース（１９）と、飲料用容器に設けられた非接触に読み取り可能な電子的な情報担体（１７）を有する飲料用容器（５）とを有するシステム（２７，２７’）であって、飲料用コースタ（１）の通信装置（１１）とインターフェース（１９）の間に第１の無線の通信接続（２２）が提供されており、その結果、データを少なくとも飲料用コースタ（１）の通信装置（１１）からインターフェース（１９）へ伝達可能であり、飲料用コースタ（１）の通信装置（１１）と情報担体（１７）の間に第２の無線の通信接続（２３）が提供されており、その結果、データを少なくとも電子的な情報担体（１７）から読み取り可能であるとともに飲料用コースタ（１）の通信装置（１１）へ伝達可能であることを特徴とするシステム。
【請求項１２】
インターフェース（１９）が、データネットワーク（２０）の接続点、好ましくはアクセスポイント若しくはルータであること、又はインターフェースが、モバイル端末、好ましくは携帯電話のインターフェースであることを特徴とする請求項１１に記載のシステム（２７，２７’）。
【請求項１３】
システムがモバイル端末（２６）を含んでおり、飲料用コースタ（１）の通信装置（１１）とモバイル端末（２６）の間に第３の無線の通信接続（２４）が提供されており、その結果、データを少なくともモバイル端末（２６）から読み取り可能であるとともに飲料用コースタ（１）の通信装置（１１）へ伝達可能であることを特徴とする請求項１１又は１２に記載のシステム（２７，２７’）。
【請求項１４】
システムが、テーブルに設けられた非接触に読み取り可能な電子的な情報担体を有するテーブル又はスタンドアップディスプレイに設けられた非接触に読み取り可能な電子的な情報担体を有するスタンドアップディスプレイを更に備えており、データを、飲料用コースタの通信装置間の１つの無線の通信接続を介して、電子的な情報担体から少なくとも読み取り可能であるとともに、飲料用コースタの通信装置へ伝達可能であることを特徴とする請求項１１〜１３のいずれか１項に記載のシステム（２７，２７’）。
【請求項１５】
飲料用容器（５）を載置可能なハウジング（２）及びハウジング（２）に配置された無線の電子的な通信装置（１１）を備えた飲料用コースタ（１）と、インターフェース（１９）と、飲料用容器に設けられた非接触に読み取り可能な電子的な情報担体（１７）を有する飲料用容器（５）とを備えるシステム（２７，２７’）におけるデータ通信のための方法であって、データが、第１の無線の通信接続（２２）を介して少なくとも飲料用コースタ（１）の通信装置（１１）からインターフェース（１９）へ伝達され、データが、第２の無線の通信接続（２３）を介して少なくとも電子的な情報担体（１７）から読み取られるとともに、飲料用コースタ（１）の通信装置（１１）へ伝達されることを特徴とする方法。
【発明の詳細な説明】
【技術分野】
【０００１】
本発明は、飲料用容器を載置可能であるように構成されたハウジングと、ハウジングに配置された無線の電子的な通信装置とを有する飲料用コースタであって、飲料用コースタの動作中に、インターフェースとの第１の無線の通信接続が通信装置によって提供可能であるように通信装置が構成及び設置されており、少なくとも通信装置からインターフェースへデータを伝達可能である、飲料用コースタに関するものである。
【０００２】
さらに、本発明は、このような飲料用コースタと、飲料用コースタのほかに配置されたインターフェースとから成るシステムであって、飲料用コースタの通信装置とインターフェースの間に無線の通信接続が提供されており、その結果、データが少なくとも飲料用コースタの通信装置からインターフェースへ伝達可能であるシステムに関するものである。
【０００３】
加えて、本発明は、飲料用コースタとの通信する方法に関するものである。
【背景技術】
【０００４】
多くの生活領域のデジタル化がますます発展している。これには、毎日の生活のますます多くの対象が、当該対象とのデータ交換ができるようにデータネットワークに統合されることも含む。モノのインターネットとも呼ばれる。
【０００５】
データネットワークに統合可能な無線の電気的な通信装置と、センサとを備えた飲料用コースタが特許文献１から知られている。そして、このようにして、センサがあらかじめ決定された測定値を検出する場合には、例えば追加注文を発出するために、信号をバーのスタッフへ伝達することが可能である。このとき、飲料用コースタは飲食店のテーブルに割り当てられているが、当該飲料用コースタは、飲料用コースタに載置された飲料用容器又はその内容物についての追加的な情報を処理しない。
【先行技術文献】
【特許文献】
【０００６】
【特許文献１】独国実用新案第２０２００６００３６２１号明細書
【発明の概要】
【発明が解決しようとする課題】
【０００７】
これに対して、本発明の課題は、飲料用コースタに載置された飲料用容器及び／又は飲料用容器に収容された飲料についての情報も容易に処理することが可能な、飲料用コースタ、このような飲料用コースタを有するシステム及びこのような飲料用コースタと通信するための方法を提供することにある。
【課題を解決するための手段】
【０００８】
上記課題のうち少なくとも１つは、飲料用容器を載置可能であるように構成されたハウジングと、ハウジングに配置された無線の電子的な通信装置とを有し、飲料用コースタの動作中に、インターフェースとの第１の無線の通信接続が通信装置によって提供可能であるように通信装置が構成及び設置されており、少なくとも通信装置からインターフェースへデータを伝達可能である、飲料用コースタであって、飲料用コースタの動作において、飲料用容器に設けられた非接触に読み取り可能な電子的な情報担体との第２の無線の通信接続が通信装置によって提供可能であるように通信装置が構成及び設置されており、データを、少なくとも電子的な情報担体から読み取り可能であるとともに、飲料用コースタの通信装置へ伝達可能である飲料用コースタによって解決される。
【０００９】
本発明による飲料用コースタは、当該飲料用コースタが、例えばデータネットワークのインターフェースへデータを伝達することができるとともに、飲料用容器に固定された非接触に読み取り可能な電子的な情報担体を読み取ることが可能であるという利点を有している。このようにして、飲料用容器及びその内容物と飲料用コースタの前の消費者との間の割り当てが可能となる。
【００１０】
インターフェースが、飲料用コースタの一部ではなく、むしろ、外部の要素、すなわち飲料用コースタの通信装置により伝達されるデータを受信する、飲料用コースタの外部の要素であることはいうまでもない。
【００１１】
飲料用コースタのハウジングは、全く異なる材料で製造されることができるか、又は様々な材料の組合せで製造されることも可能である。特に、ハウジングのための材料として、合成樹脂、木材、板紙及び金属が適している。ここで、本発明の一実施形態では、ハウジングは閉鎖された体積（空間）を有しており、当該体積には、通信装置及び場合によっては別の電子的及び電気的な装置が収容されている。
【００１２】
飲料用容器をハウジングに載置可能であることがハウジングにとって決定的である。このために、本発明の一実施形態では、ハウジングは、支持面を有する上側を備えている。支持面は、飲料用容器の脚部又は底部のための収容面として用いられる。
【００１３】
支持面が、合目的には、飲料用容器の脚部の典型的な面積又は設置面積よりも大きな面積を有していることはいうまでもない。一実施形態では、円形状の支持面の直径又は長方形状若しくは正方形状の支持面の側方長さは、１５ｃｍ以下である。このようにして、飲料用容器の脚部又は設置面を載置可能であるが、飲料用コースタは依然として扱われることが可能である。
【００１４】
一実施形態では、飲料用コースタは、飲料調温装置、特にボトル冷却装置又はビール加熱装置として構成されている。このような飲料調温装置は、脚部又は設置面を受ける支持面を備えているが、一実施形態では、さらに、調温される液体、例えば水を収容する体積も規定している。
【００１５】
本発明の一実施形態では、ハウジングは、支持面と、支持面を少なくとも部分的に包囲し支持面に対して突出した縁部とを有する上側を備えており、その結果、支持面上及び縁部内でビール用コースタを収容可能である。一実施形態では、縁部は、（支持面に対して垂直に測定して）支持面に対して１０ｍｍ以下だけ突出している。
【００１６】
ハウジングが合成樹脂、金属又は木材で製造されていれば、飲料用容器において流れる凝縮水がほとんど吸収されることがないか、又は吸収されることがない。そのため、支持面に対して突出した縁部を有する飲料用コースタの一実施形態によって、従来のビール用コースタ（ビール用皿又はビール用マットとも呼ばれる）を収容することができる。そして、（特許）請求される飲料用コースタは、実際のビール用コースタのためのホルダとして用いられる。
【００１７】
本発明の一実施形態では、このようなビール用コースタは、ハウジングの上側の支持面に収容される。本発明の一実施形態では、ビール用コースタは、板紙、好ましくはトウヒ材から成る砕木パルプ板紙で構成されている。
【００１８】
様々な形状及び大きさにおけるビール用コースタが知られている一方、一実施形態におけるビール用コースタは、正方形状又は円形状の形状を有している。支持面、特に支持面を少なくとも部分的に包囲する縁部の寸法はビール用コースタが載置可能であるように寸法設定される必要があることはいうまでもない。一実施形態では、円形状のビール用コースタは、１０７ｍｍの直径を有しており、その結果、支持面も約１０７ｍｍの直径を有している。
【００１９】
本発明の意味合いにおける飲料用容器は、その材料の選択とは無関係に飲料容器と理解される。一実施形態では、飲料用容器は、ガラスから成る飲料用容器である。本願の意味合いにおける飲料用容器は、飲料用グラス、マグ、ジョッキ、カップ及びピッチャーのような手でつかむ物品、装飾容器やボトルあるいは飲料用ボトルを含む。
【００２０】
本発明の意味合いにおける無線の電子的な通信装置は、信号を受信及び／又は送信することが可能な１つ又は複数の電子回路と理解される。データを通信装置により伝達するために、送信される信号を公知の態様で変調させる必要があることはいうまでもない。
【００２１】
このとき、本願の意味合いでは、通信装置によって提供可能な無線の通信接続は、直接的な、すなわちポイントからポイントへの通信接続、すなわち、例えばデータネットワークのインターフェースと飲料用コースタの通信装置の間、非接触に読み取り可能な電子的な情報担体と飲料用コースタの通信装置の間又はモバイル端末と飲料用コースタの通信装置の間の通信接続である。
【００２２】
２つの無線の通信接続を通信装置が構築できるようになっていることが本発明にとって決定的である。ここで、一実施形態では、両通信接続は一方向性のものである。飲料用コースタの通信装置とインターフェースの間の通信接続により、データを少なくとも飲料用コースタからインターフェースへ伝達することが可能となる。これに対して、飲料用コースタと情報担体の間の通信接続により、データを少なくとも情報担体から飲料用コースタへ伝達することが可能となる。
【００２３】
しかし、一実施形態では、第１又は第２の無線の通信接続のうち少なくとも１つが双方向性のものとなっているため、データを両方向に伝達可能である。
【００２４】
本発明の一実施形態では、飲料用コースタの通信装置に通信接続を構築させることができる、非接触に読み取り可能な電子的な情報担体は、ＲＦＩＤトランスポンダである。本発明の一実施形態では、飲料用コースタの通信装置とこのようなＲＦＩＤトランスポンダの間の結合（接続）は、わずかな到達距離（レンジ）を有する交番磁界によって、又は高周波電波によって行われる。
【００２５】
本発明の一実施形態では、ＲＦＩＤトランスポンダは、ＮＦＣ規格によるトランスポンダである。このようなトランスポンダは、従来のモバイル端末、例えばスマートフォン又はタブレットによって読み取られることができるとともに、安価である上、大量生産において利用可能である。
【００２６】
本発明の一実施形態では、ＲＦＩＤトランスポンダは、パッシブなＲＦＩＤトランスポンダである。当該トランスポンダには、読み取り機器からトランスポンダへ送信される信号からエネルギーが供給される。
【００２７】
代替的な一実施形態では、ＲＦＩＤトランスポンダは、少なくとも１つの処理回路及び／又は送信回路若しくは受信回路のエネルギー供給のための固有のエネルギー源、例えばバッテリ又は蓄電池を有するアクティブなトランスポンダである。
【００２８】
飲料用コースタの通信装置が、非接触に読み取り可能な電子的な情報担体、特にＲＦＩＤトランスポンダの実施形態に応じて、情報担体の読み取りに必要な装置、すなわち特に放射し、及び受信する要素（例えばアンテナ）を備えていることはいうまでもない。本発明の一実施形態では、通信装置は、ＲＦＩＤトランスポンダのための読み取り装置を含んでいる。
【００２９】
飲料用コースタの通信装置を用いて読み取り可能な、非接触に読み取り可能な情報担体は、飲料用コースタに含まれない全く異なる対象に接続されることが可能である。例えば、非接触に読み取り可能な情報担体は、飲料用容器に接続あるいは設けられている。ただし、飲食店のテーブルに設けられた非接触に読み取り可能な情報担体又はモバイル端末、例えば携帯電話の非接触に読み取り可能な情報担体も通信装置によって読み取ることが可能である。
【００３０】
本発明の一実施形態では、第１の無線の通信接続が第１の伝達規格により動作し、第２の無線の通信接続が第１の伝達方法又は伝達規格とは異なる第２の伝達方法又は伝達規格により動作するように、通信装置が構成及び設置されている。
【００３１】
ここで、本発明の一実施形態では、第１の無線の通信接続がワイヤレスＬＡＮ接続、ブルートゥース接続、モバイル通信接続又はＬＰＷＡ（Ｌｏｗ  Ｐｏｗｅｒ  Ｗｉｄｅ  Ａｒｅａ）接続であり、第２の無線の通信接続がＲＦＩＤトランスポンダを読み取るための接続、特にＮＦＣ規格による接続であるように、飲料用コースタの通信装置が構成及び設置されている。モバイル通信接続又はＬＰＷＡ接続は、更に、飲料用コースタが現存するデータネットワークインフラストラクチャーのインターフェース、例えばモバイル通信受信装置又はＬＰＷＡゲートウェイに直接接続可能であるとともに、飲食店において、例えばブルートゥースハブ又はＷＬＡＮルータの形態の個別のインターフェースを設置する必要がないという利点を有している。
【００３２】
本発明の別の一実施形態では、飲料用コースタが、測定量を検出する測定装置あるいはセンサを備えており、測定装置が有効に通信装置に接続されており、その結果、測定量がデータの形態で少なくとも第１の通信接続を介してインターフェースへ伝達可能である。
【００３３】
一実施形態では、測定装置は、例えば飲料用コースタの移動を検出するための、又は飲料用容器の移動を検出するための光学的なセンサである。
【００３４】
別の一実施形態では、測定装置は、例えば、飲料用コースタの移動又は向きを検出する加速度センサである。
【００３５】
さらに、一実施形態では、測定装置は、飲料用容器の移動を検出する移動（運動）センサである。
【００３６】
測定装置が飲料用コースタ内に、又は飲料用コースタに収容されていることはいうまでもない。
【００３７】
一実施形態では、測定装置が、ハウジングに配置された充填レベル測定装置であり、ハウジングに載置された飲料用容器の、測定量としての充填レベルを充填レベル測定装置によって検出可能であるように、充填レベル測定装置が構成及び設置されており、充填レベル測定装置によって得られる測定データを通信装置へ伝達可能であるように、充填レベル測定装置が通信装置に接続されている。このとき、充填レベル測定装置は、ハウジングに載置された飲料用容器の充填レベルについての度合いを直接的又は間接的に特定することができる全ての種類のセンサと理解される。
【００３８】
本発明の一実施形態では、充填レベル測定装置は力センサであり、当該力センサは、飲料用コースタの動作において、飲料用コースタに載置された飲料用容器の重さを力センサによって検出可能であるように構成及び配置されている。このために、本発明の一実施形態では、飲料用容器の重さを検出するために、飲料用容器の脚部又は底部を収容するハウジングの支持面の下方に力センサが配置されている。飲料用容器が飲料で満たされているときには飲料用容器の重さがより大きいことはいうまでもない。
【００３９】
飲料の純粋な重さひいては充填レベルを特定することができるように、いくらか満たされた飲料用容器の重さを介した充填レベル測定において、飲料用容器自体の重さが既知であれば有利である。このとき、飲料用容器の自重は、特に、飲料用容器に設けられた情報担体にデータとしてメモリされることができ、当該データは、飲料用コースタの通信装置によって読み取られることが可能である。
【００４０】
本発明の代替的な一実施形態では、充填レベル測定装置は容量型センサであり、当該容量型センサは、飲料用コースタの動作において、充填レベルに依存する、飲料用コースタに載置された飲料用容器の電気容量を容量型センサによって検出可能であるように構成及び配置されている。本発明の別の一実施形態では、充填レベル測定装置は、充填レベルを検出する光学的なセンサである。
【００４１】
飲料用コースタが多数の測定装置を備えることが可能であることはいうまでもない。
【００４２】
本発明の別の一実施形態では、飲料用コースタの動作中に、モバイル端末を有する第３の無線の通信接続が通信装置によって提供され、少なくともモバイル端末からのデータを読み取り可能であるとともに通信装置へ伝達可能であるように、飲料用コースタの通信装置が更に構成及び設置されている。一実施形態では、この第３の無線の通信接続も、直接的な、すなわち飲料用コースタと端末機器の間のポイントからポイントへの通信接続であることはいうまでもない。
【００４３】
本発明の別の一実施形態では、第３の無線の通信接続を介して、支払いプロセスが精算されるか、あるいはその精算が開始される（ａｎｇｅｓｔｏｓｓｅｎ）。このために、一実施形態では、飲料用コースタが、第１の無線の通信接続を介して飲食店の精算システムと接続されている。
【００４４】
本発明の意味合いにおけるモバイル端末は、特に、携帯電話、スマートフォン、タブレットコンピュータ又はこれらに類するものと理解される。通信装置が全部で３つの通信接続、すなわちインターフェースへの通信接続、飲料用容器に設けられた情報担体への通信接続及びモバイル端末への通信接続を提供するこのような実施形態では、多数の情報を得るとともにこれらを互いに結び付けることが可能である。当該情報は、モバイル端末のユーザ、すなわち特に飲料用容器に含まれる飲料の消費者についてのデータ、飲料用コースタ自体に割り当てられたデータ、例えば飲食店のテーブル番号、並びに飲料用容器に割り当てられたデータ、例えば自重、飲料用容器に収容された飲料及びこれに類するものを含んでいる。
【００４５】
本発明の別の一実施形態では、飲料用コースタは、通信装置と有効に接続された操作要素を備えており、当該操作要素は、好ましくは、ボタン、スイッチ、容量型のボタン又は接触感知式のディスプレイから選択されている。このようにして、飲料用コースタはユーザインターフェースとしても用いられることができ、当該ユーザインターフェースにより、飲料の消費者は、信号をウェイター又はスタッフへ伝達することが可能である。
【００４６】
本発明の別の一実施形態では、飲料用コースタは、通信装置と有効に接続された表示要素を備えており、当該表示要素は、好ましくは、ディスプレイ又は少なくとも１つの発光ダイオードである。このようにして、飲料用コースタはユーザインターフェースとして用いられることができ、信号を飲料の消費者へ表示することが可能である。
【００４７】
一実施形態では、飲料用コースタは、振動アラームを備えている。ここで、振動アラームは、振動によってイベントの発生を信号化する信号発出装置である。例えば外部施設において光の信号が良好に認識できない場合に、例えば振動アラームは有利である。
【００４８】
本発明の別の一実施形態では、飲料用コースタは、ハウジングに配置されて通信装置に接続された電流供給部ごとに、特に蓄電池を備えている。このような蓄電池は、交換することで、誘導式に、又は例えばＵＳＢケーブルを介したケーブル接続によって充電されることが可能であることはいうまでもない。
【００４９】
一実施形態では、飲料用コースタは、モバイル端末の蓄電池を充電するための誘導式の充電装置を備えている。このようにして、顧客は、飲料用コースタをそのモバイル端末用の、特にその携帯電話用のモバイルバッテリとして活用することが可能である。
【００５０】
飲料用コースタが備え得る電子的な装置の列挙は、最終的（網羅的）なものではない。特に、飲料用コースタには、他の電子的な装置と有効に接続されたコンピュータ又はプロセッサを配置することが可能である。
【００５１】
実施形態及び構成に応じて、本発明による飲料用コースタによって一連の利点を実現することが可能である、とりわけ：
−一実施形態では、アルコール飲料のリアルタイム消費を明らかにするために、本発明による飲料コースタは、例えばバーボトルの下へ設置されることが可能である。ここで、一実施形態では、飲料用コースタがあらかじめプログラミングされている。一実施形態では、ボトルの重さは、飲料用コースタに電子的にメモリされている。この場合、ボトルにはチップは不要である。
−一実施形態では、本発明による飲料用コースタは、カクテルの混合のための成分はかりとして用いられることが可能である。
【００５２】
上述の課題のうち少なくとも１つは、上述し、及び実施形態において後述する飲料用コースタと、インターフェースと、飲料用容器に設けられた非接触に読み取り可能な電子的な情報担体を有する飲料用容器とを有するシステムによって解決され、飲料用コースタの通信装置とインターフェースの間に第１の無線の通信接続が提供されており、その結果、データが少なくとも飲料用コースタの通信装置からインターフェースへ伝達可能であり、飲料用コースタの通信装置と情報担体の間に第２の無線の通信接続が提供されており、その結果、データを少なくとも電子的な情報担体から読み取り可能であるとともに飲料用コースタの通信装置へ伝達可能である。
【００５３】
一実施形態では、本発明の意味合いにおける非接触に読み取り可能な電子的な情報担体は、担体基板、特に合成樹脂から成る担体基板を含んでいる。一実施形態では、情報担体は、信号を発出するための送信回路と、処理回路と、永続的なメモリとを有する電子回路を更に含んでいる。このような電子回路は、従来技術から様々な態様で知られている。
【００５４】
ここで、電子回路の個別の部分は、集積回路、すなわちチップへ統合されることが可能である。そして、本発明の意味合いにおける信号は、磁気的、電磁的又は光学的な信号であり得る。しかし、信号が磁場又は電磁場へ変調されている実施形態が好ましい。
【００５５】
本発明の一実施形態では、情報担体の電子回路は、回路に加えて、信号を受信するための受信回路も含んでいる。当該受信回路も処理回路に接続されていることはいうまでもない。
【００５６】
本発明の一実施形態では、情報担体の送信回路及び／又は受信回路は同様の回路である。本発明の一実施形態では、処理回路はデジタル回路である。このようなデジタル処理回路は、一実施形態ではマイクロコントローラである。
【００５７】
別の一実施形態では、回路は更にアンテナを備えており、当該アンテナは、送信回路及び／又は受信回路に接続されている。当該アンテナは、信号を磁場又は電磁場の形態で発出又は受信するために用いられる。
【００５８】
一実施形態では、情報担体は、加えて、飲料用容器に配置された表示装置、例えば発光ダイオード又はディスプレイに有効に接続されており、当該表示装置は、インターフェースから飲料用コースタを介して飲料用容器に接続された情報担体へ伝達される信号を用いて起動可能あるいは制御可能である。当該構成により、例えばリアルタイム富くじ（Ｅｃｈｔｚｅｉｔ−Ｇｅｗｉｎｎｓｐｉｅｌｅ）を実現することが可能である。
【００５９】
本発明によるシステムの一実施形態では、インターフェースは、データネットワークのアクセスポイント又はモバイル端末のインターフェースである。データネットワークのこのような無線のアクセスポイント（Ｚｕｇａｎｇｓｐｕｎｋｔ）は、例えばアクセスポイント（Ａｃｃｅｓｓ−Ｐｏｉｎｔ）又はルータである。インターフェースがアクセスポイントを形成するデータネットワークは、例えばケーブル接続されたネットワーク、特にＷＡＮ又はＬＡＮである。
【００６０】
本発明の別の一実施形態では、システムがモバイル端末を含んでおり、飲料用コースタの通信装置とモバイル端末の間に第３の無線の通信接続が提供されており、その結果、データを少なくともモバイル端末から読み取り可能であるとともに飲料用コースタの通信装置へ伝達可能である。
【００６１】
一実施形態では、システムは、テーブルに設けられた非接触に読み取り可能な情報担体、特にＲＦＩＤトランスポンダ若しくはＮＦＣトランスポンダを有するテーブル、又は載置部に設けられた非接触に読み取り可能な情報担体、特にＦＲＩＤトランスポンダあるいはＮＦＣトランスポンダを有するテーブルのための載置部を更に含んでいる。テーブルに固定されたこの非接触に読み取り可能な情報担体も、飲料用コースタの通信装置と情報担体の間の無線の通信接続を用いて読み取り可能である。
【００６２】
飲料用コースタ及びシステムアーキテクチャの構成に応じて、本発明によるシステムによって一連の利点を実現することが可能である。例えば、以下の概要が挙げられる：
−一実施形態では、本発明によるシステムにより、消費情報及び消費者情報の検出が可能である。したがって、例えば、例えばグラスごとの飲むスピード、飲料及び体積ごとの飲み込み回数並びに消費の継続時間などのような飲みプロファイルを初めて作成することが可能である。
−一実施形態では、本発明によるシステムは、最適な飲食サービスを達成することができるように、ウェイターにとって最も効果的なルートをあらかじめ設定することが可能である。
【００６３】
本発明による方法についての本発明の以下の態様が説明される限りにおいて、当該態様は、飲料用コースタを有する本発明によるシステム及び飲料用コースタについて当てはまり、またその逆も当てはまる。方法が本発明による飲料用コースタ又はシステムによって実行される限り、このために、これらは対応する装置を備える。特に、飲料用コースタあるいはシステムの実施形態は、以下に説明する方法の実行に適している。
【００６４】
上述の課題のうち少なくとも１つは、飲料用容器を載置可能に構成されたハウジング及びハウジングに配置された無線の電子的な通信装置を備えた飲料用コースタと、インターフェースと、飲料用容器に設けられた非接触に読み取り可能な電子的な情報担体とを有するシステムにおけるデータ通信のための方法であって、データが、第１の無線の通信接続を介して少なくとも飲料用コースタの通信装置からインターフェースへ伝達され、データが、第２の無線の通信接続を介して少なくとも電子的な情報担体から読み取られるとともに、飲料用コースタの通信装置へ伝達される方法によっても解決される。
【００６５】
システムが、好ましくは、複数の本発明による飲料用コースタと、飲料用容器に設けられた、各飲料用容器を一義的に識別する非接触に読み取り可能な情報担体を有する複数の飲料用容器とを備えることはいうまでもない。
【００６６】
一実施形態では、通信装置は、電子的な情報担体から読み取られるデータを第１の通信接続を介してインターフェースへ伝達する。このとき、電子的な情報担体から読み取られるデータは、好ましくは飲料用コースタにおける装置にメモリされた、及び／又は飲料用コースタにおける測定装置により検出されたデータと共に伝達される。
【００６７】
一実施形態では、システムが、テーブルに設けられた非接触に読み取り可能な電子的な情報担体を有するテーブル又はスタンドアップディスプレイに設けられた非接触に読み取り可能な電子的な情報担体を有するスタンドアップディスプレイを更に含んでおり、データを、飲料用コースタの通信装置間の１つの無線の通信接続を介して、電子的な情報担体から少なくとも読み取り可能であるとともに、飲料用コースタの通信装置へ伝達可能である。
【００６８】
デーブル又はテーブルでの載置のための載置部における電子的に読み取り可能な情報担体の配置により、本発明による飲料用コースタを例えば飲食店における所定のテーブルに論理的に割り当てることが可能となる。
【００６９】
システムが、好ましくは、複数のテーブル、又はテーブルに設けられた、各テーブル若しくは載置部を一義的に識別する非接触に読み取り可能な情報担体を有するテーブルのための複数の載置部を備えることはいうまでもない。
【００７０】
方法の一実施形態では、飲料用コースタとテーブルの間のこの論理的な結び付けのために、飲料用コースタは、テーブル又は載置部の電子的に読み取り可能な情報担体の手前に保持されており、情報担体は、飲料用コースタの通信装置によって読み取られる。
【００７１】
一実施形態では、テーブルあるいは載置部における飲料用コースタのログイン、すなわち当該両要素間の成功した論理的な割り当ては、振動アラーム又は光の信号の作動によって確認される。
【００７２】
一実施形態では、テーブル又は載置部の情報担体は、一義的な識別子を有している。一実施形態では、飲料用コースタの通信装置による情報担体の読み取り後、これがテーブル識別子であり、各飲料用コースタを当該テーブルに論理的に割り当てることができることをシステムが認識するように、テーブルについてテーブル又は載置部に設けられた情報担体があらかじめプログラミングされている。本発明による方法の一実施形態では、ソフトウェアにおいて、情報担体の識別子をテーブルに一義的に割り当てることが可能である。このために、テーブル又はテーブル番号が、グラフィカルに選択され、テーブルあるいは載置部の情報担体の識別子に割り当てられる。
【００７３】
本発明の一実施形態では、第２の通信接続を介した電子的な情報担体からのデータの読み取り及び／又は通信装置からインターフェースへのデータの伝達は、測定装置による測定値の検出によって開始される。例えば、飲料用コースタにおける重さセンサを用いて、飲料用コースタへの飲料用容器の載置を検出することが可能である。当該検出は、飲料用容器における電子的な情報担体を読み取り、読み取られたデータを飲料用コースタにメモリされたデータと共にインターフェースへ伝達するためのトリガ信号として用いられる。同様に、例えば、ある程度のあらかじめ設定された充填レベルの検出も、データ、特に追加注文の伝達のきっかけとなり得る。
【００７４】
本発明の更なる利点、特徴及び応用可能性を、本発明の実施形態の以下の説明及び添付の図面に基づいて明らかにする。
【図面の簡単な説明】
【００７５】
【図１】本発明の一実施形態による飲料用コースタの断面図である。
【図２】図１に基づく飲料用コースタを有するシステムの一実施形態を概略的に示す図である。
【図３】図１に基づく飲料用コースタを有するシステムの別の一実施形態を概略的に示す図である。
【発明を実施するための形態】
【００７６】
各図においては、同一の要素には同一の参照符号が付されている。
【００７７】
図１には、本発明による飲料用コースタ（飲料用下敷き）１の概略的な断面図が示されている。
【００７８】
飲料用コースタ１は、長さ及び幅よりもはるかにわずかな高さを有する平坦な構造形状を備えたハウジング２を含んでいる。ハウジング２は、その上側３に支持面４を備えており、当該支持面は、ここでは飲料用グラス５である飲料用容器のための載置面として用いられる。
【００７９】
図示の実施形態では、支持面４は、飲料用グラス５の載置後に飲料用グラス５の底部７とハウジング２の支持面４の間で延在するビール用コースタ６が支持面４上に収容されるように構成されている。図示の実施形態では、ビール用コースタ６は、砕木パルプ板紙から製造された、１０７ｍｍの直径を有する円形状のビール用コースタである。支持面４は、円形状の縁部８によって包囲されているため、ビール用コースタ６は、支持面４から脱落することがないか、あるいは支持面４に対してずれることがない。縁部８は、本質的に、ビール用コースタ６の厚さと同一である支持面４の高さを有している。ビール用コースタ６は、飲料用グラス５における凝縮水及び場合によっては飲料用グラス５に注がれた飲料９のこぼれたしずくを吸収するために用いられる。
【００８０】
ハウジング２の内部には構造空間１０が配置されており、構造空間内には、多数の要素を有する電子回路が収容されている。図示の実施形態では、電子回路は、通信装置１１、力センサ１２、プロセッサ１５及び誘導式に充電可能な蓄電池１３を含んでいる。
【００８１】
蓄電池１３は、力センサ１２及び通信装置１１に電気エネルギーを供給するために用いられる。力センサが支持面４ひいてはハウジング２に作用する力を検出するように、力センサ１２は、ハウジング２の支持面４の下方に配置されている。そして、力センサ１２は、構造空間１０の対向する壁部１４において支持されている。飲料用グラス５を支持面４上のビール用コースタ６へ載置すると、飲料用グラス５及びその内部に注がれた飲料９の重力が支持面４を押圧し、また支持面を介して力センサ１２を押圧する。力センサ１２により検出される力は、内部に注がれた飲料９を有する飲料用グラス５の重さあるいは質量に比例している。飲料用グラス５の自重が分かれば、力センサ２の力測定に基づき、飲料用グラス５内にある飲料９の質量あるいは飲料用グラス５の充填レベルを逆推定することが可能である。
【００８２】
図示の実施例では、センサ１２が有効にロジック部に、すなわちプロセッサ１５において接続されており、ロジック部は、あらかじめ設定された充填レベルを下回る場合に、カウンタにおける飲料の追加注文を指示する。
【００８３】
基本的には、飲料用コースタ１上に載置されるグラス５は、非常に異なる形状及び大きさ、したがって質量を有し得る。それぞれ充填レベルについての正確な自重を力センサ１２を用いて基礎とすることができるように、飲料用コースタ１は、一方ではＲＦＩＤリーダ１６を含む通信装置１１を備えている。当該ＲＦＩＤリーダは、グラス５に設けられたＲＦＩＤトランスポンダ１７を読み取るために用いられる。ＲＦＩＤトランスポンダ１７は、本願の用語の使用の意味合いでは、非接触に読み取り可能な電子的な情報担体であり、当該情報担体は、図示の実施形態では、データの形態で、グラス５のタイプ、グラス５の自重及び飲料９のタイプを一義的に識別する固有の情報を含んでいる。ＲＦＩＤリーダ１６が読み取ってロジック部１５へ伝達する当該情報に基づいて、ロジック部１５は、力センサ１２の測定データを評価することができるとともに、いつ追加注文が発出される必要があるかを決定することができる。追加注文１５は、データの形態のコマンドを用いて通信装置１１へ伝達され、当該通信装置から更に伝達される。この目的のために、通信装置１１はブルートゥースモジュール１８を備えており、当該ブルートゥースモジュールは、ネットワークインターフェース１９への通信接続を提供する。
【００８４】
図２には、図１に基づく飲料用コースタ１の構成を備えた複数の飲料用コースタ１を有するシステム２７が概略的に図示されている。各飲料用コースタ１上には、ＲＦＩＤトランスポンダ１７が付設された飲料用グラス５が配置されている。各通信装置１１は、飲料用コースタ１とインターフェース１９の間の第１の無線通信接続を提供する。ここで、インターフェース１９は、アクセスポイント１９をコンピュータ２１に接続するデータネットワーク２０のためのブルートゥースアクセスポイントである。データネットワークはＬＡＮネットワークであり、コンピュータ２１は、更にインターネット２５を介してサーバと通信可能である（不図示）。ブルートゥース接続２２は、本願の用語の使用の意味合いにおいて、通信装置１１とインターフェース１９の間の無線の通信接続を形成する。
【００８５】
通信装置１１と飲料用グラス５におけるＲＦＩＤトランスポンダ１７の間のＮＦＣ接続は、本願の用語の使用の意味合いにおける第２の無線の通信接続２３を形成している。
【００８６】
３つの飲料用コースタ１について図２に概略的に図示されたアーキテクチャは、多数の飲料用コースタに適したものであり、各ＲＦＩＤトランスポンダ１７ひいては各飲料用グラス５が個別の一義的な識別部を備えているのみならず、各飲料用コースタ１も一義的な識別部を備えている。ここで、飲料用コースタの提供時には、テーブルあるいは客への各飲料用コースタ１の割り当てがコンピュータ２１のデータベースにメモリされる。飲料用グラス５の充填レベルがあらかじめ設定された閾値を下回ると、飲料用グラス５が載置された飲料用コースタ１は、飲料用グラス５に設けられたＲＦＩＤトランスポンダを用いて識別される飲料について追加注文を発出する。
【００８７】
図３には、システム２７’の拡張されたアーキテクチャが示されており、当該アーキテクチャでは、各通信装置１１は、飲料用コースタ１から客あるいは消費者のスマートフォンへの第３の通信接続を更に提供する。消費者についての個人データは、当該通信接続２４を介して応答要求（照会）されることができ、統計的な評価へ供給されることができる。例えば、未成年者へのアルコール飲料の提供を避けるための年齢応答要求（年齢照会）も実現することが可能である。
【００８８】
図１に基づく飲料用コースタ１の実施形態が力センサ１２のほかにユーザインターフェースを有していない一方、飲料用コースタが例えば発光ダイオードの形態の表示ユニットと、例えばボタンである操作要素とを更に備える実施形態が考えられる。したがって、追加注文を手動で発出することができるか、又はケータリングサービス（Ｇａｓｔｒｏｎｏｍｉｅｓｐｉｅｌ）を実現することが可能である。
【００８９】
出願当初の開示の目的のために、全ての特徴は、それ自体、本明細書、図面及び特許請求の範囲から当業者にとって推測されるように、所定の別の特徴に関連してのみ具体的に記載されているとしても、個別にも、またここに開示された特徴又は特徴群との適宜の構成においても組合せ可能である。ただし、このことが明確に除外されているか、又はこのような組合せが技術的な事情から不可能であるか、若しくは無意味である場合はこの限りでない。考えられる全ての特徴の組合せの包括的で明確な説明は、ここでは、簡潔化のため、及び明細書の読みやすさのために省略されている。
【００９０】
本発明を詳細に図面において図示し、及び上述の説明において説明した一方、当該図示及び説明は、単に例示的なものであり、保護範囲の限定として意図されたものではなく、保護範囲は特許請求の範囲によって規定される。本発明は、開示された実施形態に限定されているものではない。
【００９１】
開示された実施形態の変更は、図面、明細書及び添付の特許請求の範囲から当業者にとって明らかである。特許請求の範囲において、「ａｕｆｗｅｉｓｅｎ（備えるあるいは有する）」という語は、他の要素又はステップを除外するものではなく、不定冠詞「ｅｉｎｅ」又は「ｅｉｎ」は、複数を除外するものではない。所定の特徴が異なる請求項において請求されているという単なる事実は、その組合せを除外するものではない。特許請求の範囲における符号は、保護範囲の限定として意図されているものではない。
【符号の説明】
【００９２】
１              飲料用コースタ
２              ハウジング
３              ハウジング２の上側
４              ハウジング２の支持面
５              飲料用グラス
６              ビール用コースタ
７              飲料用グラス５の底部
８              縁部
９              飲料
１０            構造空間
１１            通信装置
１２            力センサ
１３            蓄電池
１４            壁部
１５            プロセッサ
１６            ＲＦＩＤリーダ
１７            ＲＦＩＤトランスポンダ
１８            ブルートゥースモジュール
１９            インターフェース
２０            データネットワーク
２１            コンピュータ
２２            ブルートゥース接続（第１の通信接続）
２３            ＲＦＩＤ接続（第２の通信接続）
２４            ＲＦＩＤ接続（第３の通信接続）
２５            インターネット
２６            スマートフォン（モバイル端末）
２７，２７’    システム
【図１】
2021512563.tif 000003
【図２】
2021512563.tif 000004
【図３】
2021512563.tif 000005
【国際調査報告】
2021512563.tif 000006
2021512563.tif 000007
2021512563.tif 000008
2021512563.tif 000009
2021512563.tif 000010